(57)【要約】【課題】  外部からの不正アクセスを防止しながらホルダーを開けずにＩＣカードを使用でき、また、ＩＣカードが複数枚収納される場合であっても個々のＩＣカードの通信を確保できるカードホルダーを提供する。【解決手段】  本発明のカードホルダーのホルダー本体には、非接触ＩＣカードＣ１〜Ｃ３を個々に収納する複数の収納部１７Ａ〜１７Ｃと、各収納部内のＩＣカードを挟むように設けられた導電性シールド部材３１〜３４と、収納部内のＩＣカードに対向配置されＩＣカードのアンテナとカップリングするカップリング用アンテナ４１〜４３と、収納部の外部に配置された通信用アンテナ１８と、カップリング用アンテナ４１〜４３と通信用アンテナ１８との間を電気的に接続又は遮断する切替スイッチ２１〜２３とを備えている。【選択図】        図３
2005032113.tif 000002
【特許請求の範囲】
【請求項１】
非接触ＩＣカードを収納するためのカードホルダーであって、
非接触ＩＣカードが収納される収納部を備えたホルダー本体と、
前記収納部内の非接触ＩＣカードを挟むように前記ホルダー本体に設けられた導電性シールド部材と、
前記収納部内の非接触ＩＣカードに対向配置され当該非接触ＩＣカードのアンテナとカップリングするカップリング用アンテナと、
前記収納部の外部に配置された通信用アンテナと、
前記カップリング用アンテナと前記通信用アンテナとの間を電気的に接続又は遮断する切替スイッチとを備えた
ことを特徴とするカードホルダー。
【請求項２】
前記導電性シールド部材と前記収納部又は前記カップリング用アンテナとの間には、磁性材料層が介在している
ことを特徴とする請求項１に記載のカードホルダー。
【請求項３】
前記通信用アンテナ及び前記切替スイッチは、前記ホルダー本体の外面側に配置されている
ことを特徴とする請求項１に記載のカードホルダー。
【請求項４】
前記通信用アンテナ及び前記切替スイッチは、前記ホルダー本体とは分離独立したアンテナ支持体に配置されている
ことを特徴とする請求項１に記載のカードホルダー。
【請求項５】
前記アンテナ支持体は、前記ホルダー本体に対して着脱自在とされる
ことを特徴とする請求項４に記載のカードホルダー。
【請求項６】
前記ホルダー本体と前記アンテナ支持体とは、伸縮自在な接続ケーブルを介して互いに接続されている
ことを特徴とする請求項４に記載のカードホルダー。
【請求項７】
前記切替スイッチは、開位置で前記カップリング用アンテナと通信用アンテナとの間を遮断し、閉位置で前記カップリング用アンテナと前記通信用アンテナとの間を接続する常開型のスイッチである
ことを特徴とする請求項１に記載のカードホルダー。
【請求項８】
前記ホルダー本体は前記収納部を複数備えており、これら各収納部に前記カップリング用アンテナがそれぞれ配置され、各カップリング用アンテナがそれぞれ専用の前記切替スイッチを介して、前記通信用アンテナに共通に接続されている
ことを特徴とする請求項１に記載のカードホルダー。
【請求項９】
前記ホルダー本体は冊子構造を有し、その各頁部に前記収納部がそれぞれ形成されているとともに、前記冊子構造の表面部に前記通信用アンテナが配置されている
ことを特徴とする請求項８に記載のカードホルダー。
【発明の詳細な説明】
【技術分野】
【０００１】
本発明は、１枚又は複数枚の非接触ＩＣカードを収納するＩＣカード用ホルダーに関し、更に詳しくは、不正アクセスからカード情報を保護することができ、ＩＣカードが複数枚収納される場合にあっては、個々のＩＣカードの良好な通信特性を維持できるＩＣカード用ホルダーに関する。
【背景技術】
【０００２】
近年、アンテナコイルとＩＣチップとを内蔵した非接触ＩＣカードを使用して様々な情報のやり取りを電磁波による無線通信で行うＩＣカードシステムが提案されている。このようなＩＣカードシステムは、交通機関の改札システム、高速道路の自動車料金徴収システム、電子決済、電話カードシステム、工場における製品管理システムなどに応用されている。
【０００３】
このような非接触ＩＣカードの所有者は、ＩＣカードを透明な樹脂等でなるＩＣカード用ホルダーに収納した状態でバッグやポケットに入れて携帯する場合が一般的である。また最近では、このホルダーを首に掛けて携帯するスタイルが多く見られるようになり、使用時には首から下げたままホルダーごとＩＣカードを質問器（リーダーライタ）へかざすようにしている。
【０００４】
ところで、ＩＣカードの利用範囲の拡大に伴って、携帯するＩＣカードの枚数が増えてきている。例えば、社員証として非接触ＩＣカードがＩＤカードとして利用されている場合、企業の構内への入構用ＩＤカードのほかに、企業内のセキュリティの高い部屋へ入室する際には専用のＩＤカードを携帯する必要がある。
【０００５】
しかしながら、このような場合、カード携帯者が上述したホルダーに上記２枚のＩＣカードを収納し使用しようとすると、２枚のＩＣカードのアンテナコイルが互いに磁気結合してしまい、本来の共振周波数から大幅にずれ、どちらのＩＣカードも通信できなくなる。そのため、カード利用者は質問器にかざす際にホルダーから必要なカードを抜き出して質問器にかざす必要があり、本来の非接触ＩＣカードの利点が生かされていなかった。
【０００６】
一方、この種の非接触ＩＣカードは、質問器からの特定周波数の発振電波にアンテナコイルを結合させ電磁誘導の原理を利用してＩＣチップに対する情報の読み出し／書き込みを行うようにしている。
【０００７】
しかしながら、従来のＩＣカード用ホルダーには不正アクセスからカード情報を保護する機能は殆ど搭載されていないので、悪意の第三者によって、カード内の記録情報が不正に読み出されたり改ざんされる危険性を内在していることになる。
【０００８】
特に近年においては、個人情報が記録されるＩＣカードの需要が非常に高まっている。このようなＩＣカードの需要が高まるにつれて、ハード面であるカード情報読取機も軽量・高性能化し、これにより巧妙な不正アクセスが可能となって個人情報の読み盗られが容易になされてしまう。このように、個人の情報を如何なる手段にて安全に携帯するかが大きな問題となっている。
【０００９】
なお、この出願の発明に関連する先行技術文献としては、以下のものがある。
【００１０】
下記特許文献１には、カードホルダーに収納された２枚の非接触ＩＣカードの間に、導電性シートとこれを挟むようにして重ねられた磁性シートとからなる干渉防止シートを配置し、それぞれのＩＣカード間の通信干渉を防止し各ＩＣカードの通信機能を確保する構成が開示されている。
【００１１】
下記特許文献２には、ＩＣカードを収納する冊子状のカードホルダーにおいて、当該カードホルダーの表紙や頁を、電磁波を遮断もしくは通しにくいシールド部材で構成し、不正アクセスからＩＣカードを保護することが開示されている。
【００１２】
【特許文献１】特開２０００−２６８１４６号公報
【特許文献２】特開平１１−３４８４７１号公報
【発明の開示】
【発明が解決しようとする課題】
【００１３】
しかしながら、上記特許文献２の構成では、３枚以上のＩＣカードを収納した場合、当該３枚目以降のＩＣカードは、２枚のＩＣカードの間に収納されることになるため、通信が不可能になるという問題がある。
【００１４】
また、上記特許文献１の構成では、ＩＣカードを使用する際、冊子状カードホルダーをわざわざ開く必要があり、これが非常に煩わしいという問題がある。
【００１５】
本発明は上述の問題に鑑みてなされ、外部からの不正アクセスを防止しながらホルダーを開けずにＩＣカードを使用でき、また、ＩＣカードが複数枚収納される場合であっても個々のＩＣカードの通信を確保できるカードホルダーを提供することを課題とする。
【課題を解決するための手段】
【００１６】
以上の課題を解決するに当たり、本発明のカードホルダーは、非接触ＩＣカードが収納される収納部を備えたホルダー本体と、収納部内の非接触ＩＣカードを挟むようにホルダー本体に設けられた導電性シールド部材と、収納部内の非接触ＩＣカードに対向配置され当該非接触ＩＣカードのアンテナとカップリングするカップリング用アンテナと、収納部の外部に配置された通信用アンテナと、カップリング用アンテナと通信用アンテナとの間を電気的に接続又は遮断する切替スイッチとを備えたことを特徴とする。
【００１７】
本発明において、収納部に収納されている非接触ＩＣカードは、当該非接触ＩＣカードを挟むようにホルダー本体に設けられた導電性シールド部材によって、不正アクセスから保護される。
【００１８】
また、本発明において、収納部に収納されている非接触ＩＣカードの使用に際しては、当該非接触ＩＣカードのアンテナとカップリングするカップリング用アンテナと、収納部の外部に配置された通信用アンテナと、カップリング用アンテナと通信用アンテナとの間を電気的に接続する切替スイッチとが用いられる。
【００１９】
すなわち、質問器（リーダーライタ）からの発振電波は、通信用アンテナで受信され、これがカップリング用アンテナに転送され、当該カップリング用アンテナから対向する非接触ＩＣカードへ送信される。非接触ＩＣカードからの応答信号は、当該カップリング用アンテナで受信され、これが通信用アンテナを介して質問器へ送信される。これにより、カードホルダーに収納した状態での非接触ＩＣカードの使用が可能とされる。
【００２０】
なお、カード非使用時は、切替スイッチでカップリング用アンテナと通信用アンテナとの間を遮断しておくことにより、通信用アンテナを介しての不正アクセスから収納部内の非接触ＩＣカードを保護することができる。
【００２１】
一方、収納部を複数備え、これら複数の収納部にカップリング用アンテナをそれぞれ配置し、各カップリング用アンテナをそれぞれ専用の切替スイッチを介して通信用アンテナに共通に接続することにより、切替スイッチの選択によって任意の非接触ＩＣカードを使用することができるようになる。これにより、ＩＣカードが複数枚収納されている場合においても、それぞれのＩＣカードの通信機能が確保される。
【発明の効果】
【００２２】
本発明のカードホルダーによれば、ホルダー内部の非接触ＩＣカードに対する外部の不正アクセスから保護することができるとともに、ホルダーを開いたりホルダーからカード取り出すことなく非接触ＩＣカードを使用できる。また、カードが複数枚収納されている場合でも、個々の非接触ＩＣカードの通信機能を確保することができる。
【発明を実施するための最良の形態】
【００２３】
以下、本発明の各実施の形態について図面を参照して説明する。
【００２４】
（第１の実施の形態）
図１〜図３は本発明の第１の実施の形態を示している。
ここで、図１は本実施の形態によるカードホルダー１０の全体斜視図、図２はカードホルダー１０の内部の斜視図、図３はカードホルダー１０の概略構成図である。
【００２５】
本実施の形態のカードホルダー１０は、非接触ＩＣカード（以下「ＩＣカード」という。）を３枚収納できる構造を有するホルダー本体１１を備えている。ホルダー本体１１は冊子構造を有し、表面部構成体１１Ａ、頁部構成体１１Ｂ，１１Ｃ、裏面部構成体１１Ｄおよび背面部構成体１１Ｅを備えている。
【００２６】
ＩＣカードＣ１〜Ｃ３としては、アンテナコイルにＩＣチップが接続されたアンテナモジュールをカード構成シートで挟み込んで製作されたものが用いられる。
また、本例におけるＩＣカードＣ１〜Ｃ３は、非接触で外部と情報の授受を行う機能を有するものであれば全て適用可能であり、例えば、表面に接触端子を具備したハイブリッドカードやデュアルインターフェースカード（コンビネーションカード）というような接触／非接触タイプのＩＣカード等も含まれる。
【００２７】
さて、ホルダー本体１１の表面部構成体１１Ａ及び頁部構成体１１Ｂ，１１Ｃの各々一方の面には、ＩＣカードＣ１、Ｃ２及びＣ３をそれぞれ収納するためのポケット１５が設けられており、これらポケット１５によってＩＣカードの収納部１７Ａ，１７Ｂ及び１７Ｃが構成される（図３）。ポケット１５には開口１６が設けられ、ＩＣカードＣ１〜Ｃ３の取出し性あるいは入替え性が高められている（図２）。
【００２８】
表面部構成体１１Ａの外面側には、通信用アンテナ１８が埋設されている。表面部構成体１１Ａには、通信用アンテナ１８の背面側から順に、磁性部材５４、導電性シールド部材３１および磁性部材５１Ａが内装されている。
【００２９】
一方の頁部構成体１１Ｂの表面側には、ＩＣカードＣ１とカップリングするカップリング用アンテナ４１が埋設されている。頁部構成体１１Ｂには、カップリング用アンテナ４１の背面側から順に、磁性部材５１Ｂ、導電性シールド部材３２および磁性部材５２Ａが内装されている。
【００３０】
他方の頁部構成体１１Ｃの表面側には、ＩＣカードＣ２とカップリングするカップリング用アンテナ４２が埋設されている。頁部構成体１１Ｃには、カップリング用アンテナ４２の背面側から順に、磁性部材５２Ｂ、導電性シールド部材３３および磁性部材５３Ａが内装されている。
【００３１】
そして、裏面部構成体１１Ｄの表面側には、ＩＣカードＣ３とカップリングするカップリング用アンテナ４３が埋設されている。裏面部構成体１１Ｄには、カップリング用アンテナ４３の背面側から順に、磁性部材５３Ｂおよび導電性シールド部材３４が内装されている。
【００３２】
通信用アンテナ１８及び各カップリング用アンテナ４１〜４３は、その金属線が外部に露出した形態も適用可能であるが、耐久性及び信頼性の観点から、各アンテナは電波透過性のある透明性又は非透明性の合成樹脂フィルムで被覆された構成とするのが好ましい。
【００３３】
カップリング用アンテナ４１〜４３はそれぞれ切替スイッチ２１〜２３及び同軸ケーブル６１を介して通信用アンテナ１８へ共通に接続されている。切替スイッチ２１〜２３は、カップリング用アンテナ４１〜４３と通信用アンテナ１８との間を電気的に接続する閉位置と、これらの間を遮断する開位置をとるように構成されている。
【００３４】
特に、本実施の形態においては、これらの切替スイッチ２１〜２３を常開型の押下スイッチで構成することにより、非操作時はカップリング用アンテナ４１〜４３と通信用アンテナ１８との間を常に遮断しておくようにしている。
【００３５】
背面部構成体１１Ｅは、表面部構成体１１Ａ、頁部構成体１１Ｂ、頁部構成体１１Ｃ及び裏面部構成体１１Ｄを相互に連結する機能を有し、その外面部には切替スイッチ２１〜２３が配置されている。背面部構成体１１Ｅの内部には、切替スイッチ２１〜２３とカップリング用アンテナ４１〜４３及び通信用アンテナ１８との間を接続する回路が構成されている。
【００３６】
カップリング用アンテナ４１〜４３はそれぞれ、対向するＩＣカードＣ１〜Ｃ３のアンテナとのカップリングに適合した形状のループコイルで構成されている。特に本実施の形態では、対向するＩＣカードＣ１〜Ｃ３のアンテナ形状と略同一形状のループコイルで構成されている。
【００３７】
一方、通信用アンテナ１８は、図示しない質問器（リーダーライタ）のアンテナとのカップリングに適合した形状のループコイルで構成されている。この構成により、通信用アンテナ１８は、切替スイッチ２１〜２３で選択された何れかひとつのカップリング用アンテナ４１〜４３と電気的に接続され、当該選択されたカップリング用アンテナに対向するＩＣカードＣ１〜Ｃ３と外部の質問器（リーダーライタ）との間の通信を可能とする。
【００３８】
本実施の形態のカードホルダー１０においては、収納部１７Ａ〜１７Ｃはそれぞれ導電性シールド部材３１〜３４によって相互に隔離されている。導電性シールド部材３１〜３４は電磁シールド板として用いられ、ホルダー本体１１の内外および収納部１７Ａ〜１７Ｃ間を電磁的に遮蔽する機能を有する。導電性シールド部材３１〜３４は銅やアルミニウム、ステンレス等の金属材料製の薄板又はシートで構成され、その厚さは特に制限されない。
【００３９】
磁性部材５１Ａ，５１Ｂ，５２Ａ，５２Ｂ，５３Ａ，５３Ｂ及び５４は、軟磁気特性を有する非導電性のシートでなり、例えば合成樹脂材料中に軟磁性材料粉を混入してシート状に加工したものが用いられる。軟磁性材料粉としては、センダスト（Ｆｅ−Ａｌ−Ｓｉ系）やパーマロイ（Ｆｅ−Ｎｉ系）、アモルファス（例えばＦｅ−Ｓｉ−Ａｌ−Ｂ系）、フェライト（例えばＮｉ−Ｚｎフェライト、Ｍｎ−Ｚｎフェライト）等が適用可能である。
【００４０】
これらの磁性部材は、導電性シールド部材３１〜３４と各収納部１７Ａ〜１７Ｃ、通信用アンテナ１８又はカップリング用アンテナ４１〜４３との間に介在するように配置されている。これにより、各磁性部材は、導電性シールド部材３１〜３４と、通信用アンテナ１８、各カップリング用アンテナ４１〜４３及び各ＩＣカードＣ１〜Ｃ３との間の相互干渉を抑制する機能を果たす。これにより、通信用アンテナ１８とカップリング用アンテナ４１〜４３とＩＣカードＣ１〜Ｃ３のそれぞれの通信性能の劣化を抑えることができる。
【００４１】
以上のように構成される本実施の形態のカードホルダー１０において、例えばＩＣカードＣ２を使用する場合、ホルダー本体１１の表面（通信用アンテナ１８側の面）を質問器（リーダーライタ）にかざす際に切替スイッチ２２を押下操作する。通信用アンテナ１８は質問器からの発振電波を受信し、この受信電波をＩＣカードＣ２と電磁気的に結合したカップリング用アンテナ４２へ供給する。これにより、カップリング用アンテナ４２とＩＣカードＣ２との間で情報のやり取りが可能となり、ＩＣカードＣ２からの応答信号をカップリング用アンテナ４２及び通信用アンテナ１８を介して質問器へ送信する。
【００４２】
以上のように、通信用アンテナ１８は、選択されたＩＣカードのアンテナとしての機能を果たし、ホルダー本体１１の内部において導電性シールド部材３１〜３４間に配置されるＩＣカードと外部の質問器（リーダーライタ）との間の通信を可能とする。
【００４３】
上述の例において、ＩＣカードＣ２とこれに隣接するＩＣカードＣ１及びＩＣカードＣ３との間は、導電性シールド部材３２，３３によって電磁的に遮蔽されているので、カード間における通信干渉の問題は発生しない。また、ＩＣカードＣ２と導電性シールド部材３２との間およびカップリング用アンテナ４２と導電性シールド部材３３との間は、それぞれ磁性部材５２Ａおよび磁性部材５２Ｂが介装されているので、各導電性シールド部材３２，３３によるＩＣカードＣ２及びカップリング用コイル４２の通信性能の劣化も抑えられる。
【００４４】
ここで、磁性部材５１Ａ，５１Ｂは、ＩＣカードＣ２及びカップリング用アンテナ４２の通信仕様に応じて選定されるのが好ましい。すなわち、これらの磁性部材は、導電性シールド部材３２，３３の存在によるＩＣカードＣ２及びカップリング用アンテナ４２の通信性能の劣化（インダクタンスの低下）を抑制すると同時に、ＩＣカードＣ２及びカップリング用アンテナ４２の通信性能の向上が図れる材料を選定するのが好適である。
【００４５】
一例を挙げるならば、ＩＣカードが「Ｓｕｉｃａ」（商標）の場合はＴＤＫ製「ＩＲＬ０３ＡＢ（厚さ０．２８ｍｍ）」が上記磁性材料として好適であり、また、ＩＣカードが「Ｅｄｙ」（商標）の場合はＦＤＫ製「ＰＥ７２（厚さ０．５ｍｍ）」が上記磁性材料として好適であることが実験的に判明している。
【００４６】
したがって、各収納部１７Ａ〜１７Ｃに収納されるＩＣカードの種類に応じて磁性材料５１Ａ，５１Ｂ，５２Ａ，５２Ｂ，５３Ａ，５３Ｂを選定し、あるいは、収納するＩＣカードの種類に応じてこれらの磁性材料を使い分けるようにすることにより、各ＩＣカードの通信性能の一層の向上を図ることが可能となる。また、磁性材料５４の選定にあたっても、通信用アンテナ１８として求められるインダクタンスを確保できるような材料を選定するようにすればよい。
【００４７】
一方、収納されるＩＣカードＣ１〜Ｃ３の各々が互いに異なる種類のＩＣカードである場合、これらと通信を行う質問器（リーダーライタ）の間にも仕様上の相違、例えばアンテナ形状の相違が存在することになる。この場合、例えば、通信用アンテナ１８を各質問器に対応した形状の複数のアンテナ群で構成し、切替スイッチ２１〜２３の操作に応じて１つのアンテナが選択されるように構成するようにすれば、カードの種類に適合した通信用アンテナを用いて適正な通信性能を確保することが可能となる。
【００４８】
以上のように、本実施の形態のカードホルダー１０によれば、ホルダー本体１１の最外層に設けられる導電性シールド部材３１と導電性シールド部材３４とによって、ホルダー本体１１に収納される各ＩＣカードＣ１〜Ｃ３を外部からの不正アクセスから保護することができ、カード情報の読み盗られやカード情報の改ざん等を防止することができる。
【００４９】
また、切替スイッチ２１〜２３の押下操作によって、通信用アンテナ１８を介しての所望のＩＣカードと外部の質問器（リーダーライタ）との間の通信を行うことができる。特に、カード収納枚数が３枚以上の場合でも全てのＩＣカードの通信機能を確保することができる。このように、ひとつのカードホルダー１０に複数枚のＩＣカードＣ１〜Ｃ３を収納しても、あたかもひとつのカードだけを取り出して使っているような感覚で使用することができる。
【００５０】
更に、切替スイッチ２１〜２３がホルダー本体１１の外面側に配置されているので、良好な操作性あるいは取扱い性を確保することができる。
【００５１】
そして、切替スイッチ２１〜２３を常開型のスイッチで構成しているので、カード非使用時では切替スイッチ２１〜２３を遮断位置に戻して、通信用アンテナ１８を全てのＩＣカードＣ１〜Ｃ３とは接続されていない状態とするようにしている。これにより、ユーザーの意図した場合にだけカード通信動作を行わせるようにでき、通信用アンテナ１８を介しての不正アクセスを防止できる。
【００５２】
（第２の実施の形態）
続いて、図４〜図６を参照して本発明の第２の実施の形態について説明する。
なお、図において上述の第１の実施の形態と対応する部分については同一の符号を付し、その詳細な説明は省略するものとする。
ここで、図４は本実施の形態によるカードホルダー７０の全体斜視図、図５はカードホルダー７０の一作用を説明する模式図、図８はカードホルダー７０の一使用形態を説明する図である。
【００５３】
本実施の形態のカードホルダー７０は、３枚のＩＣカードＣ１〜Ｃ３を個々に収納するホルダー本体１１に対し、これとは分離独立した構成のアンテナ支持体７１を接続し、このアンテナ支持体７１に通信用アンテナ１８を配置した点で上述の第１の実施の形態の構成と異なっている。
【００５４】
アンテナ支持体７１は、例えば一般のカードサイズと同等又はこれよりも大判の長方形状を有し、その一表面側に通信用アンテナ１８を埋設している。この通信用アンテナ１８の表面は、電波透過性のある透明又は非透明の合成樹脂フィルムで被覆されている。
【００５５】
また、このアンテナ支持体７１の一表面側には、使用するホルダー本体１１内のＩＣカードＣ１〜Ｃ３を選択するための切替スイッチ２１〜２３が配置されている。本例では、これら切替スイッチ２１〜２３を通信用アンテナ１８の形成面と同一の面に配置したが、これら切替スイッチ２１〜２３を通信用アンテナ１８の形成面とは反対側の面に配置するようにしてもよい。
【００５６】
ホルダー本体１１とアンテナ支持体７１とは、同軸ケーブル６１及び接続ケーブル６２を介して接続されている。接続ケーブル６２としては同軸ケーブル６１と同一又は同様な仕様のケーブルが用いられる。本実施の形態では、接続ケーブル６２は図示するように巻取ドラム６３により巻取可能となっており、使用時には巻取ドラム６３からアンテナ支持体８１を引き出せるようになっている。
【００５７】
以上のように構成される本実施の形態のカードホルダー７０にあっては、図５に示すように、アンテナ支持体８１のみを質問器（リーダーライタ）８０のアンテナユニット８１の上へかざすだけで、切替スイッチ２１〜２３（図４）で選択されたＩＣカードＣ１〜Ｃ３との通信が可能となり、取り扱い性に非常に優れたカードホルダーを提供することができる。これにより、例えばホルダー本体１１は胸ポケットやバッグに入れたまま、アンテナ支持体７１のみを取り扱うだけでＩＣカードＣ１〜Ｃ３の使用が可能となる（図６）。
【００５８】
なお、アンテナ支持体７１をホルダー本体１１に対して着脱自在に構成するようにすれば、通常時においてアンテナ支持体７１とホルダー本体１１とを一体化させておくことができるので、カードホルダー７０の取り扱い性を更に一層向上させることができる。
【００５９】
以上、本発明の各実施の形態について説明したが、勿論、本発明はこれらに限定されることなく、本発明の技術的思想に基づいて種々の変形が可能である。
【００６０】
例えば以上の実施の形態では、ＩＣカードを３枚収納できる構造のホルダー本体１１を用いてカードホルダーを構成するようにしたが、カード収納枚数は上記に限定されることなく、１枚、２枚又は４枚以上収納できるように構成することも可能である。
【００６１】
また、以上の第１の実施の形態では、切替スイッチ２１〜２３をホルダー本体１１の背面部構成体１１Ｅの外面側に配置したが、切替スイッチの配置場所はこれに限定されることなく、表面部構成体１１Ａの外面部や裏面部構成体１１Ｄの外面部に配置することも可能である。
【図面の簡単な説明】
【００６２】
【図１】本発明の第１の実施の形態によるカードホルダー１０の全体を示す斜視図であり、Ａは冊子状のホルダー本体１１を閉じた状態を示し、Ｂはホルダー本体１１を開いた状態を示している。
【図２】カードホルダー１０の内部構成をホルダー本体１１を開いて示す斜視図である。
【図３】カードホルダー１０の概略構成図である。
【図４】本発明の第２の実施の形態によるカードホルダー７０の全体を示す斜視図である。
【図５】カードホルダー７０の一作用を説明する図である。
【図６】カードホルダー７０の一使用形態を説明する図である。
【符号の説明】
【００６３】
１…１０，７０…カードホルダー、１１…ホルダー本体、１１Ａ…表面部構成体、１１Ｂ，１１Ｃ…頁部構成体、１１Ｄ…裏面部構成体、１１Ｅ…背面部構成体、１７Ａ〜１７Ｃ…収納部、１８…通信用アンテナ、２１〜２３…切替スイッチ、３１〜３４…導電性シールド部材、４１〜４３…カップリング用アンテナ、５１Ａ，５１Ｂ，５２Ａ，５２Ｂ，５３Ａ，５３Ｂ，５４…磁性部材、６１…同軸ケーブル、７１…アンテナ支持体、８０…質問器（リーダーライタ）、８２…アンテナユニット、Ｃ１〜Ｃ３…ＩＣカード。
【図１】
2005032113.tif 000003
【図２】
2005032113.tif 000004
【図３】
2005032113.tif 000005
【図４】
2005032113.tif 000006
【図５】
2005032113.tif 000007
【図６】
2005032113.tif 000008